【手続補正書】
【提出日】平成27年10月30日(2015.10.30)
【手続補正１】
【補正対象書類名】明細書
【補正対象項目名】００１３
【補正方法】変更
【補正の内容】
【００１３】
実施形態の医用画像診断装置は、簡易ＰＥＴ画像データ生成部と、表示部とを備える。簡易ＰＥＴ画像データ生成部は、放射性同位元素を投与した被検体から放射されるγ線の発生源の位置を所定投影面に対して所定方向に投影した情報に基づいて簡易ＰＥＴ画像データを生成する。表示部は、生成された前記簡易ＰＥＴ画像データをリアルタイムで表示する。
【手続補正２】
【補正対象書類名】特許請求の範囲
【補正対象項目名】全文
【補正方法】変更
【補正の内容】
【特許請求の範囲】
【請求項１】
放射性同位元素を投与した被検体から放射されるγ線の発生源の位置を所定投影面に対して所定方向に投影した情報に基づいて簡易ＰＥＴ画像データを生成する簡易ＰＥＴ画像データ生成部と、
生成された前記簡易ＰＥＴ画像データをリアルタイムで表示する表示部と、
を備える、医用画像診断装置。
【請求項２】
前記簡易ＰＥＴ画像データの評価結果に基づいて、前記被検体から放射されるγ線を検出した検出結果に基づいて生成されたＰＥＴ撮影モードの投影データを用いてＰＥＴ画像データを生成するＰＥＴ画像データ生成部を更に有し、
前記表示部は、前記簡易ＰＥＴ画像データ及び前記ＰＥＴ画像データを表示する、請求項１に記載の医用画像診断装置。
【請求項３】
前記被検体から収集された形態画像データに前記簡易ＰＥＴ画像データを重畳して評価用画像データを生成する画像データ合成部、
を更に備え、
前記ＰＥＴ画像データ生成部は、前記評価用画像データの評価結果に基づいて前記ＰＥＴ画像データを生成し、
前記表示部は、前記評価用画像データ及び前記ＰＥＴ画像データを表示する、請求項２記載の医用画像診断装置。
【請求項４】
前記簡易ＰＥＴ画像データ生成部は、前記被検体から放射されるγ線の検出位置情報の中で、前記形態画像データの撮影方向あるいは撮影断面に垂直な方向に対応する方向から検出された検出位置情報に基づいて前記簡易ＰＥＴ画像データを生成する、請求項３記載の医用画像診断装置。
【請求項５】
前記被検体からＸ線ＣＴ撮影モードの投影データを収集するＸ線ＣＴ撮影部と、
前記Ｘ線ＣＴ撮影部により前記被検体から収集されたＸ線ＣＴ撮影モードの投影データに基づいて前記撮影方向におけるスキャノグラムあるいは前記撮影断面におけるＭＰＲ（Multi  Planar  Reconstruction）画像データの少なくとも何れかを前記形態画像データとして生成する形態画像データ生成部と、
を更に備える、請求項４記載の医用画像診断装置。
【請求項６】
前記画像データ合成部は、別途設置されたＸ線ＣＴ装置あるいはＭＲＩ装置により前記被検体から収集された前記撮影方向におけるスキャノグラムあるいは前記撮影断面におけるＭＰＲ画像データの少なくとも何れかに前記簡易ＰＥＴ画像データを重畳して前記評価用画像データを生成する、請求項４記載の医用画像診断装置。
【請求項７】
前記簡易ＰＥＴ画像データ生成部は、前記ＰＥＴ撮影モードの投影データの収集過程で検出された前記γ線の検出位置情報に基づいて前記簡易ＰＥＴ画像データを生成する、請求項２記載の医用画像診断装置。
【請求項８】
前記簡易ＰＥＴ画像データ生成部は、前記γ線の発生源の位置に対応するデータシートのアドレスに、検出時刻からの時間経過と共に輝度が減弱する計測点を順次配置することにより前記簡易ＰＥＴ画像データを生成する、請求項２記載の医用画像診断装置。
【請求項９】
前記表示部は、前記時間経過と共に輝度が減弱する複数の計測点を有した前記簡易ＰＥＴ画像データをリアルタイム表示する、請求項８記載の医用画像診断装置。
【請求項１０】
前記ＰＥＴ画像データの生成を行なうための指示信号を前記簡易ＰＥＴ画像データの評価結果に基づいて入力する指示信号入力部、
を更に備え、
前記ＰＥＴ画像データ生成部は、前記指示信号に従って前記ＰＥＴ撮影モードの投影データを再構成処理し前記ＰＥＴ画像データを生成する、請求項２記載の医用画像診断装置。
【請求項１１】
前記簡易ＰＥＴ画像データ生成部は、前記γ線の検出位置情報及び検出時刻情報に基づいて推定される当該γ線の発生源の位置を用いて前記簡易ＰＥＴ画像データを生成する、請求項２記載の医用画像診断装置。
【請求項１２】
簡易ＰＥＴ画像データ生成部が、放射性同位元素を投与した被検体から放射されるγ線の発生源の位置を所定投影面に対して所定方向に投影した情報に基づいて簡易ＰＥＴ画像データを生成し、
表示部が、生成された前記簡易ＰＥＴ画像データをリアルタイムで表示する、
ことを含む制御方法。
【請求項１３】
ＰＥＴ画像データ生成部が、前記簡易ＰＥＴ画像データの評価結果に基づいて、前記被検体から放射されるγ線を検出した検出結果に基づいて生成されたＰＥＴ撮影モードの投影データを用いてＰＥＴ画像データを生成する、
ことを更に含み、
前記表示部が、前記簡易ＰＥＴ画像データ及び前記ＰＥＴ画像データを表示する、請求項１２記載の制御方法。
【請求項１４】
画像データ合成部が、前記被検体から収集された形態画像データに前記簡易ＰＥＴ画像データを重畳して評価用画像データを生成する、
ことを更に含み、
前記ＰＥＴ画像データ生成部は、前記評価用画像データの評価結果に基づいて前記ＰＥＴ画像データを生成し、
前記表示部は、前記評価用画像データ及び前記ＰＥＴ画像データを表示する、請求項１３記載の制御方法。
【請求項１５】
前記簡易ＰＥＴ画像データ生成部は、前記被検体から放射されるγ線の検出位置情報の中で、前記形態画像データの撮影方向あるいは撮影断面に垂直な方向に対応する方向から検出された検出位置情報に基づいて前記簡易ＰＥＴ画像データを生成する、請求項１４記載の制御方法。
【請求項１６】
Ｘ線ＣＴ撮影部が、前記被検体からＸ線ＣＴ撮影モードの投影データを収集し、
形態画像データ生成部が、前記Ｘ線ＣＴ撮影部により前記被検体から収集されたＸ線ＣＴ撮影モードの投影データに基づいて前記撮影方向におけるスキャノグラムあるいは前記撮影断面におけるＭＰＲ（Multi  Planar  Reconstruction）画像データの少なくとも何れかを前記形態画像データとして生成する、
ことを更に含む、請求項１５記載の制御方法。
【請求項１７】
前記画像データ合成部は、別途設置されたＸ線ＣＴ装置あるいはＭＲＩ装置により前記被検体から収集された前記撮影方向におけるスキャノグラムあるいは前記撮影断面におけるＭＰＲ画像データの少なくとも何れかに前記簡易ＰＥＴ画像データを重畳して前記評価用画像データを生成する、請求項１５記載の制御方法。
【請求項１８】
前記簡易ＰＥＴ画像データ生成部は、前記ＰＥＴ撮影モードの投影データの収集過程で検出された前記γ線の検出位置情報に基づいて前記簡易ＰＥＴ画像データを生成する、請求項１３記載の制御方法。
【請求項１９】
前記簡易ＰＥＴ画像データ生成部は、前記γ線の発生源の位置に対応するデータシートのアドレスに、検出時刻からの時間経過と共に輝度が減弱する計測点を順次配置することにより前記簡易ＰＥＴ画像データを生成する、請求項１３記載の制御方法。
【請求項２０】
前記表示部は、前記時間経過と共に輝度が減弱する複数の計測点を有した前記簡易ＰＥＴ画像データをリアルタイム表示する、請求項１９記載の制御方法。
【請求項２１】
指示信号入力部が、前記ＰＥＴ画像データの生成を行なうための指示信号を前記簡易ＰＥＴ画像データの評価結果に基づいて入力する、
ことを更に含み、
前記ＰＥＴ画像データ生成部は、前記指示信号に従って前記ＰＥＴ撮影モードの投影データを再構成処理し前記ＰＥＴ画像データを生成する、請求項１３記載の制御方法。
【請求項２２】
前記簡易ＰＥＴ画像データ生成部は、前記γ線の検出位置情報および検出時刻情報に基づいて特定される当該γ線の発生源の位置を用いて前記簡易ＰＥＴ画像データを生成する、請求項１３記載の制御方法。